【事件の表示】
　特願２０１０−１５７０８９「表示装置、表示方法、コンピュータプログラム及び記録媒体」拒絶査定不服審判事件〔平成２４年　１月２６日出願公開、特開２０１２−　１８６３１〕について、次のとおり審決する。
【結　論】
　本件審判の請求は、成り立たない。
【理　由】
第１　手続きの経緯
　本願は、平成２２年７月２９日を出願日とする出願であり、平成２４年７月２０日付けで拒絶査定がなされ、それに対して同年９月６日に拒絶査定不服の審判請求がなされるとともに手続補正書が提出されたものである。
　　　
第２　補正却下の決定
　平成２４年９月６日に提出された手続補正書による補正の却下の決定
　　
（１）［補正却下の決定の結論］
　平成２４年９月６日に提出された手続補正書による補正（以下、「本件補正」という。）を却下する。
　　
（２）［補正却下の決定の理由］
（ａ）補正の内容
　本件補正によると、その特許請求の範囲の請求項１は、
「複数ページ分の出力用データに対応するプレビュー画像用の画像データをページ毎に生成して、該画像データに基づき、プレビュー画像を表示する表示装置において、
　全ページの画像データの生成が完了する前、各ページの画像データが生成される都度、該画像データに基づき、プレビュー画像を表示する画像表示手段を備えることを特徴とする表示装置。」
と補正されている。　
　　　
　上記補正は、本件補正前の請求項１に記載された「全ページの画像データの生成が完了する前、各画像データが生成される都度、該画像データに基づき、プレビュー画像を表示する画像表示手段」を「全ページの画像データの生成が完了する前、各ページの画像データが生成される都度、該画像データに基づき、プレビュー画像を表示する画像表示手段」とするものであり、本件補正は、特許法第１７条の２第４項第２号に規定する特許請求の範囲の減縮を目的とするものに該当する。
　そこで、本件補正後の前記請求項１に記載された発明（以下、「本願補正発明」という。）が、特許出願の際独立して特許を受けることができるものであるか（特許法第１７条の２第６項において準用する同法第１２６条第７項の規定に適合するか）否かについて以下検討する。
　
（ｂ）引用文献
　原査定の拒絶の理由に引用された特開２０１０−６２７１０号公報（以下、「引用文献」という。）には、図とともに次のように開示されている。
（ア）「【０００１】
　本発明は、画像処理装置及び画像処理方法に関し、より詳細には、画像データを最終処理前にプレビュー表示することが可能な画像処理置及び画像処理方法に関する。
【背景技術】
【０００２】
　従来から、コピー、プリンタ、スキャナ、ファクシミリ、インターネット通信などの複合的な機能を持つ複合機などの画像処理装置において、印刷や送信等の出力対象となった画像データを処理の実行前にプレビュー表示する機能が備わっているものがある。
【０００３】
　例えば、特許文献１に記載された情報処理装置では、プレビュー表示後、印刷指示を実行する手間をなくすために、スプールされた中間コードから実際の出力結果を画像イメージとして表示し、出力ページのプレビュー表示終了後に印刷指示が入力されることなく、デスプール手段により、印刷データを生成して実際の印刷出力を行うようにしている。
　そして、この情報処理装置は、プレビュー表示を行う際には、プレビュー表示を行うページ数の設定が可能となっている。
　・・・中略・・・
　また、特許文献１では、所定ページ数のプレビュー画像を生成するとき、所定ページ数のプレビュー画像の生成が全て完了した段階で、プレビュー画像の表示が可能となることから、データ容量の大きい画像データ等については、プレビュー画像の表示まで時間を要し、ユーザを待たせる要因となる。」（段落【０００１】〜【０００４】）
　　
（イ）「【０１４０】
　このようにデジタル複合機１は、コピーやドキュメントファイリング、あるいは画像データの送信等の対象となる画像データを使用してプレビュー画像を生成するが、本発明に係る実施形態では、このときプレビュー画像生成部１６ａは、プレビュー画像を生成すべき画像データが得られた段階でプレビュー画像の生成を開始し、その生成状態をメッセージ等により表示させるようにしている。
　例えば、複数枚（複数頁）の画像データのプレビュー画像を生成するときに、プレビュー画像生成部１６ａは、１枚目の画像データが得られた段階でプレビュー画像の生成を開始し、生成したプレビュー画像が１枚生成される毎に、その１枚のプレビュー画像が生成されたことを示す表示をタッチパネル３２の表示部に表示させる。ここでは中綴じ印刷などの全ての画像データを取得しないとプレビュー画像が生成できない場合には、画像データが得られた段階でプレビュー画像の生成を開始することもある。
　このような動作により、ユーザはプレビュー画像の生成状態を認識することができる。
【０１４１】
　また、複数の画像データのプレビュー画像が生成されている途中の段階でも、生成済みのプレビュー画像については、適宜ユーザ操作を行うことによりプレビュー表示させることができ、この時点で、コピーやデータファイリング、データ送信などの最終処理を実行させるようにすることもできる。」（段落【０１４０】、【０１４１】）
　　　　　
（ウ）「【０１５１】
　＜プレビュー画像生成中の表示例＞
　ここで本発明に係る実施形態では、画像処理部１６のプレビュー画像生成部１６ａ（図５）は、上記のごとくの最終処理の対象となる画像データを使用して、プレビュー画像を生成するが、メイン制御部１８は、プレビュー画像生成部１６ａが生成したプレビュー画像が１枚（１頁）生成される毎に、その１枚のプレビュー画像が生成されたことを示す表示をタッチパネル１０の表示部に表示させる。そして、最終処理の対象となる画像データが複数枚（複数頁）あった場合には、１枚のプレビュー画像が生成されたことを示す表示を１枚の画像毎に実行させることができる。
【０１５２】
　図１１〜図１３は、プレビュー画像生成中の表示例を示す図である。図１１の例では、コピーモードにおいて、ユーザがプレビュー確認キー４６を操作した後スタートキーを操作すると、プレビュー生成中を示す画像７０がポップアップ画像により表示される。
　このとき、プレビュー画像生成部１６ａでは、読取部１３による原稿画像の読み取りに応じて、コピーすべき（つまり最終処理の対象となっている）画像データのプレビュー画像の生成を開始する。そして、その際に、プレビュー生成中を示す画像７０には、例えば、“プレビューを作成中です。しばらくお待ち下さい”とのメッセージの表示と、“作成中”であることを示す表示が行われる。これにより、ユーザは、現在プレビュー画像が生成されている状態であることを確実に認識することができる。」（段落【０１５１】、【０１５２】）
　　
（エ）「【０１５６】
　プレビュー画像生成部１６ａがプレビュー画像の生成を開始すると、１枚のプレビュー画像が生成された段階で、１枚分のプレビュー画像が生成されたことを示す表示を行う。　図１２に示すように、プレビュー画像生成部１６ａが１枚目の画像データのプレビュー画像の生成を完了すると、プレビュー生成中を示す画像７０に設定された処理量表示部７１に、処理済みの画像データが“１”であることが表示される。処理量表示部７１は、プレビュー画像の生成が終了した画像データをその枚数（頁）毎に表示するようになっている。
　また、“？？？”は、画像データの総数が表示されるべきものであるが、この段階では原稿画像の読み取り処理が継続中であり、最終処理すべき画像データの総数が何枚あるか判別できないため、“？？？”と表示されている。
【０１５７】
　図１３は、さらにプレビュー画像の生成処理が進行したときの表示例を示している。ここでは、処理量表示部７１には、プレビュー画像の生成が１２枚目まで完了していることが示されている。またこの時点では、原稿画像の読み取りが全て終了し、最終処理すべき画像データの総量が１２５枚であることが表示されている。
　つまり、プレビュー画像が生成されたことを示す処理量表示部７１は、複数枚の画像データがあるときに、１枚の画像データのプレビュー画像が生成される毎に処理量の表示を行う。そして、その表示を、１枚のプレビュー画像毎に更新する。また、入力部に対して最終処理対象の画像データが全て入力すると、その画像データの総枚数（頁数）を表示させることができる。
【０１５８】
　図１２及び図１３において、プレビュー生成中を示す画像７０に表示されている途中表示ボタン７２は、全ての対象画像データのプレビュー画像の生成処理が完了していない段階で、プレビュー画像を表示させる指示入力を可能とするものである。例えば図１２の画面でユーザにより途中表示ボタン７２が操作された場合には、そのときの生成済みのプレビュー画像の１枚目をプレビュー表示させることができる。
・・・中略・・・
【０１５９】
　図１４は、上記図１２の画面において、途中表示ボタン７２が操作されたときのプレビュー画面の一例を示す図である。例えば、図１２の画面で途中表示ボタン７２が操作されると、図１４に示すようなプレビュー画面８０が表示される。ここでは画像データのプレビュー画像８１が表示されるが、このときのプレビュー画像８１は、図１２の画面の時点で生成処理が完了している１枚目のプレビュー画像である。
【０１６０】
　図１３の画面で、途中表示ボタン７２が操作された場合には、１２枚目までのプレビュー画像表示が可能である。また、プレビュー画像の表示中であっても、のこりのプレビュー画像の生成が継続されていることから、生成が完了した他のプレビュー画像も随時表示させることができる。つまり、プレビュー画像生成部１６ａでは、タッチパネル３２の表示部に対して、プレビュー画像が生成されていることを示す表示が行われているときにも、さらにプレビュー画像を生成すべき画像データがあるときには、プレビュー画像の生成処理を続行している。
【０１６１】
　図１４に示すプレビュー画面８０に表示されるプレビュー画像８１は、このように頁毎（画像の１枚毎）に表示され、ユーザは、頁切換キー８２を適宜操作することによって、任意の頁のプレビュー画像を表示させることができる。しかしながら、この場合には、プレビュー画像の生成が完了しているのは１枚目の画像データのみであるため、頁切換キー８２によるプレビュー画像の切換はできない。ここでは、現在表示されている画像データの頁は、頁表示８３によって総数１２５枚のうちの１枚目（１頁目）であることが確認できる。」（段落【０１５６】〜【０１６１】）　　　
　　　
　以上の記載によれば、引用文献には、以下のような発明（以下、「引用発明」という。）が開示されていると認められる。
「複数枚（複数頁）の画像データのプレビュー画像を生成するときに、プレビュー画像生成部１６ａがプレビュー画像の生成を開始すると、１枚のプレビュー画像が生成された段階で、１枚分のプレビュー画像が生成されたことを示す表示する、つまり、プレビュー画像生成部１６ａが１枚目の画像データのプレビュー画像の生成を完了すると、プレビュー生成中を示す画像７０に設定された処理量表示部７１に、処理済みの画像データが“１”であることが表示され、プレビュー画像の生成が終了した画像データをその枚数（頁）毎に表示するようになっており、ユーザはプレビュー画像の生成状態を認識することができ、
　途中表示ボタン７２は、全ての対象画像データのプレビュー画像の生成処理が完了していない段階で、プレビュー画像を表示させる指示入力を可能とするものであり、例えば、処理量表示部７１に、処理済みの画像データが“１”であることが表示されているとき、ユーザにより途中表示ボタン７２が操作された場合には、そのときの生成済みのプレビュー画像の１枚目がプレビュー表示され、処理量表示部７１に、処理済みの画像データが“１２”であることが表示されているとき、ユーザにより途中表示ボタン７２が操作された場合には、そのときの生成済みのプレビュー画像の１２枚目までのプレビュー表示が可能であり、
　プレビュー画像の表示中であっても、のこりのプレビュー画像の生成が継続されており、
　プレビュー画面８０に表示されるプレビュー画像８１は、頁毎（画像の１枚毎）に表示され、ユーザは、頁切換キー８２を適宜操作することによって、任意の頁のプレビュー画像を表示させること、つまり、生成が完了した他のプレビュー画像も随時表示させることができる画像処理装置。」
　　
（ｃ）対比
　本願補正発明と引用発明とを対比する。
（ア）引用発明の「複数枚（複数頁）の画像データ」は、本願補正発明の「複数ページ分の出力用データ」に相当する。
　　
（イ）引用発明の「プレビュー画像」は、本願補正発明の「プレビュー画像用の画像データ」に相当する。
　　　　
（ウ）引用発明の「プレビュー画像生成部１６ａ」が「複数枚（複数頁）の画像データのプレビュー画像を生成」し、「プレビュー画面８０に表示されるプレビュー画像８１は、頁毎（画像の１枚毎）に表示され」る構成は、本願補正発明の「複数ページ分の出力用データに対応するプレビュー画像用の画像データをページ毎に生成して、該画像データに基づき、プレビュー画像を表示する表示装置」に相当するといえる。
　　
（エ）引用発明の「全ての対象画像データのプレビュー画像の生成処理が完了していない段階」は、本願補正発明の「全ページの画像データの生成が完了する前」に相当するといえる。
　そして、引用発明の「全ての対象画像データのプレビュー画像の生成処理が完了していない段階で、」「ユーザにより途中表示ボタン７２が操作された場合には、そのときの生成済みのプレビュー画像の１枚目がプレビュー表示され、」「ユーザは、頁切換キー８２を適宜操作することによって、任意の頁のプレビュー画像を表示させること、つまり、生成が完了した他のプレビュー画像も随時表示させることができる」構成は、本願補正発明の「全ページの画像データの生成が完了する前、各ページの画像データが生成される都度、該画像データに基づき、プレビュー画像を表示する画像表示手段」と、「全ページの画像データの生成が完了する前、」生成された各ページの画像データに基づき、「プレビュー画像を表示する画像表示手段」である点で共通するといえる。
　　
　したがって、両者は、
「複数ページ分の出力用データに対応するプレビュー画像用の画像データをページ毎に生成して、該画像データに基づき、プレビュー画像を表示する表示装置において、
　全ページの画像データの生成が完了する前、生成された各ページの画像データに基づき、プレビュー画像を表示する画像表示手段を備えることを特徴とする表示装置。」
で一致するものであり、次の点で相違している。
＜相違点＞　　　
　本願補正発明は、「全ページの画像データの生成が完了する前、各ページの画像データが生成される都度、該画像データに基づき、プレビュー画像を表示する」のに対し、引用発明は、複数のプレビュー画像が生成されている途中の段階でも、生成済みのプレビュー画像について、途中表示ボタンや頁切換キーの操作によりプレビュー表示させる点。
　　　
（ｄ）当審の判断
　上記相違点について検討する。
　プレビュー画像用の画像データが生成される都度、該画像データに基づき、プレビュー画像を表示することは、本出願の出願日前周知の技術（例えば、特開２００８−１９３６８２号公報、段落【０１２８】〜【０１３８】「図９は、２枚の原稿を縮小して同一ページに割り付けて複写する「２ｉｎ１複写」において、原稿画像の読み取りと同時に操作パネルに出力される印字イメージを表示するプレビュー処理を実行し、ユーザーの設定ミスを防ぐ複写動作の一例を示す図である。・・・中略・・・読み出された縮小画像は、必要に応じて、画像メモリ上でプレビュー画像として複数の画像を連結し、操作パネルに表示可能なプレビュー画像を生成する。【０１３６】画像メモリ上に生成されたプレビュー画像は、操作表示部５に転送され表示される。【０１３７】なお、プレビュー画像の生成は、必ずしも画像メモリ上で行わずともよく、直接操作パネルの表示データとして転送しても良い。【０１３８】また、１ページ分の縮小画像が生成されるたびに、操作表示部５に転送すれば読み取りタイミングに近いタイミングでプレビューを行うことも可能である。」の記載、特開２００７−３２３５３４号公報、段落【００２６】「なお、印刷画像７４は、レイアウト画像６４の全部の領域または一部の領域をプリンタ２４で印刷した場合の仕上がりを示す画像であって、印刷プレビューとも称される。」、段落【００５３】「なお、本実施例において、印刷画像生成部１１２は、逐次、印刷画像７４を生成し、印刷画像表示部１１６は、印刷画像７４が生成される都度表示する」の記載、特開２００３−１７７９０５号公報、段落【０００３】「印刷プレビューの表示方法としては、上述のような方法の他、例えば、印刷データのスプール完了を待たずに、スプールされた印刷データから順次解析が行われることで印刷プレビューが表示され」、段落【０００４】、【０００５】「印刷データのスプール完了を待ってから印刷プレビューを表示する構成の場合、ユーザは、印刷プレビューの表示を希望するページを選択することで、常に当該選択ページの印刷プレビューを表示させることができるが、印刷データのページ数が多い場合や、印刷データの中にスプールに時間のかかるページが存在した場合等、スプール完了までに長い時間がかかってしまう。したがって、その分、ユーザは印刷プレビューが表示されるのを待たなければならない。これは印刷作業をする上で非効率的である。また、印刷データのスプール完了を待たずに、スプールされた印刷データから順次印刷プレビューを表示する構成の場合、印刷プレビューが表示されるまでの待ち時間は減少され」の記載参照。）である。
　引用発明は、全ページの画像データの生成が完了する前、生成された各ページの画像データに基づき、プレビュー画像を表示するといえるものである。
　そうすると、引用発明において、上記周知技術を採用し、「全ページの画像データの生成が完了する前、各ページの画像データが生成される都度、該画像データに基づき、プレビュー画像を表示する」ようにすることは、当業者が容易になし得ることである。
　　
　また、本願補正発明の作用効果も、引用発明及び周知技術から、当業者であれば予想できる範囲内のものである。
　　
（ｅ）結論
　そうすると、本願補正発明は、引用発明及び周知技術に基づいて当業者が容易に発明をすることができたものであるから、特許法第２９条第２項の規定により、特許出願の際独立して特許を受けることができないものである。
　したがって、本件補正は、特許法第１７条の２第６項において準用する同法第１２６条第７項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、平成２４年７月５日に提出された手続補正書における特許請求の範囲の請求項１に記載された事項により特定される、以下のとおりのものである。
「複数ページ分の出力用データに対応するプレビュー画像用の画像データをページ毎に生成して、該画像データに基づき、プレビュー画像を表示する表示装置において、
　全ページの画像データの生成が完了する前、各画像データが生成される都度、該画像データに基づき、プレビュー画像を表示する画像表示手段を備えることを特徴とする表示装置。」
　
第４　引用文献
　原査定の拒絶理由に引用された引用文献及びその記載事項は、前記「第２　（２）（ｂ）」に記載したとおりである。
　
第５　対比・判断
　本願発明は、前記「第２」で検討した本願補正発明の「全ページの画像データの生成が完了する前、各ページの画像データが生成される都度、該画像データに基づき、プレビュー画像を表示する画像表示手段」を、「全ページの画像データの生成が完了する前、各画像データが生成される都度、該画像データに基づき、プレビュー画像を表示する画像表示手段」とするものである。
　そうすると、本願発明の構成要件を全て含み、さらに限定したものに相当する本願補正発明が前記「第２」に記載したとおり、引用発明及び周知技術に基づいて、当業者が容易に発明をすることができたものであるから、本願発明も同様の理由により、引用発明に基づいて、当業者が容易に発明をすることができたものである。
　　
第６　むすび
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。